(57)【要約】【課題】遠隔保守端末が未設置の物件においても、点検を確実に実行することができるエレベータ保守点検装置を提供する。【解決手段】エレベータの運転制御を行うエレベータ制御装置１と、複数の階床間を昇降するエレベータかごの制御を行うかご制御装置２と、エレベータの保守作業に対応した複数の点検プログラムを記憶して配信可能なセンター側システム４と、エレベータ制御装置と通信するとともに、センター側システム４から、保守作業に対応した点検プログラムを選択して実行し、点検プログラムによりエレベータが動作した結果を取得する携帯端末３とを具備する。【選択図】図１
2011088711.tif 000002
【特許請求の範囲】
【請求項１】
エレベータの運転制御を行うエレベータ制御装置と、
複数の階床間を昇降するエレベータかごの制御を行うかご制御装置と、
エレベータの保守作業に対応した複数の点検プログラムを記憶して配信可能なセンター側システムと、
前記エレベータ制御装置と通信するとともに、前記センター側システムから、保守作業に対応した点検プログラムを選択して実行し、前記点検プログラムによりエレベータが動作した結果を取得する携帯端末と、を具備したことを特徴とするエレベータ保守点検装置。
【請求項２】
前記センター側システムは、前記携帯端末から前記エレベータの動作結果を取得し、エレベータの状態解析を行うことを特徴とする請求項１記載のエレベータ保守点検装置。
【請求項３】
前記点検プログラムを前記センター側システムに登録する手段として、点検プログラム登録手段を具備したことを特徴とする請求項１記載のエレベータ保守点検装置。
【請求項４】
前記点検プログラムにバージョンアップが発生した場合に、外部に備えた前記点検プログラム登録手段を介して前記センター側システムに記憶している前記点検プログラムの更新を実施することを特徴とする請求項３記載のエレベータ保守点検装置。
【請求項５】
前記センター側システムに、過去の不具合情報や他のエレベータにて発生した同一不具合情報等を記憶しておくことを特徴とする請求項１記載のエレベータ保守点検装置。
【請求項６】
前記携帯端末は、前記点検プログラムの選択及び実行指示を表示する表示手段を備えることを特徴とする請求項１記載のエレベータ保守点検装置。
【請求項７】
前記点検プログラムは、保守作業に必要な前記エレベータの動作ルーチンとエレベータの動作についての設定値を含むものであることを特徴とする請求項１記載のエレベータ保守点検装置。
【請求項８】
前記エレベータ動作に必要な動作設定値を記憶する点検プログラム記憶手段および点検プログラムによる実行結果とを外部記憶装置に持たせることを特徴とする請求項７記載のエレベータ保守点検装置。
【請求項９】
前記点検プログラムの実行結果は、前記センター側システムに記憶され、前記点検プログラムの改良に利用することを特徴とする請求項１記載のエレベータ保守点検装置。
【請求項１０】
前記携帯端末から、前記センター側システムで認証管理し、前記エレベータの保守作業の点検開始、点検中、点検終了を前記センター側システムで遠隔監視することを特徴とする請求項１記載のエレベータ保守点検装置。
【発明の詳細な説明】
【技術分野】
【０００１】
本発明は、エレベータの保守点検装置に関するものである。
【背景技術】
【０００２】
一般に、エレベータの保守点検において、遠隔保守点検の契約により遠隔保守端末を設置し保守を行う場合と、遠隔保守端末を設置せずに、保守員によって点検作業を実施する場合とに大きく分けられる。
【０００３】
例えば、保全作業を安全に行えるように、設備機器の運転状態を信号として取り込んで、安全な状態を確認し、安全な作業手順や注意喚起する保全作業支援装置が提案されている（例えば、特許文献１参照。）。
【０００４】
一方、遠隔保守端末が設置されている物件に対して行う遠隔保守点検では、遠隔監視のセンター側から遠隔自動診断運転信号を送信し、エレベータ制御装置内もしくは遠隔保守端末内に備えられた点検プログラムをセンター側システムと遠隔保守端末に備えられた通信機器を介してエレベータの自動運転を実施する。自動運転で得られた点検プログラムの実行結果は、センター外部通信機器を介してセンター側システムに送信され、センター側システムにて解析している。解析結果に基づくエレベータの異常判定は、センター側システムで行う。
【０００５】
異常の原因究明を容易にするために、エレベータ制御系内に記録媒体を備え、所定の異常情報を記録することが提案されている（例えば、特許文献２参照。）。
【先行技術文献】
【特許文献】
【０００６】
【特許文献１】特開２００３−２９５９３８号公報
【特許文献２】特開平８−１３３６２１号公報
【発明の概要】
【発明が解決しようとする課題】
【０００７】
遠隔保守端末が未設置の物件については、エレベータ制御装置内に遠隔自動診断運転を行う点検プログラムが備えられている場合においても、遠隔保守端末を介してセンター側システムから点検プログラムを実施することは不可能である。この場合、保守員による定期的な直接作業が発生するため、作業を行う保守員の技量により点検の品質にばらつきが生じる可能性があることが懸念される。
【０００８】
そこで、本発明は、上記した問題に鑑みてなされたもので、遠隔保守端末が未設置の物件においても、点検を確実に実行することができるエレベータ保守点検装置を提供する。
【課題を解決するための手段】
【０００９】
本発明の一態様によれば、エレベータの運転制御を行うエレベータ制御装置と、複数の階床間を昇降するエレベータかごの制御を行うかご制御装置と、エレベータの保守作業に対応した複数の点検プログラムを記憶して配信可能なセンター側システムと、前記エレベータ制御装置と通信するとともに、前記センター側システムから、保守作業に対応した点検プログラムを選択して実行し、前記点検プログラムによりエレベータが動作した結果を取得する携帯端末と、を具備したことを特徴とするエレベータ保守点検装置が提供される。
【００１０】
また、本発明の別の一態様によれば、前記センター側システムは、前記携帯端末から前記エレベータの動作結果を取得し、エレベータの状態解析を行うことを特徴とするエレベータ保守点検装置が提供される。
【００１１】
また、本発明の別の一態様によれば、前記携帯端末から、前記センター側システムで認証管理し、前記エレベータの保守作業の点検開始、点検中、点検終了を前記センター側システムで遠隔監視することを特徴とするエレベータ保守点検装置が提供される。
【発明の効果】
【００１２】
本発明によれば、携帯端末を用いて遠隔保守端末から実施する遠保守点検と同じプログラムを実施することで、遠隔端末未設置現場においても遠隔端末が設置されている物件と同じ品質で点検が実施可能となる。
【００１３】
また、点検プログラムに更新があった場合に携帯端末にセンター側システムからプログラムをダウンロードすることで容易にバージョンアップが可能となる。
【図面の簡単な説明】
【００１４】
【図１】本発明の実施形態に係るエレベータ保守点検装置の構成例を示すブロック図である。
【図２】エレベータ保守点検装置の動作の流れを示すフローチャートである。
【図３】エレベータ保守点検装置の動作の流れを示すフローチャートである。
【図４】エレベータ保守点検装置の動作の流れを示すフローチャートである。
【図５】エレベータ保守点検装置の動作の流れを示すフローチャートである。
【発明を実施するための形態】
【００１５】
以下、本発明の一実施の形態について、図面を参照して説明する。尚、各図において同一箇所については同一の符号を付すとともに、重複した説明は省略する。
【００１６】
図１は、本発明の実施形態に係るエレベータ保守点検装置の構成例を示すブロック図である。図１に示すように、エレベータ保守点検装置は、エレベータの運転制御を行うエレベータ制御装置１とエレベータかごの制御を行うかご制御装置２と、遠隔保守端末に代わる手段としての携帯端末３および点検結果の解析を行うセンター側システム４で構成される。
【００１７】
エレベータ制御装置１は、第１の検出手段１１と、第２の通信手段１２と、運行制御手段１３から構成されている。運行制御手段１３は、例えばエレベータの利用者がエレベータホールにて上昇釦を押下した場合に、かごが上昇運転を行う等のエレベータの基本動作の制御を行うものである。第２の通信手段１２は、携帯端末３と点検結果情報等のデータの通信を行うものである。第１の検出手段１１は、エレベータ制御装置１内に備えられた機器の状態を検知するものである。
【００１８】
かご制御装置２は、かご制御手段２１と、第３の通信手段２２と、第２の検出手段２３から構成されている。かご制御手段２１は、例えば運行制御手段１３へドアの開閉制御動作の信号を送信し、エレベータ運行の制御を行うものである。第２の検出手段２３は、昇降路内を運行して異常箇所の検出を行うものである。第３の通信手段２２は、第２の検出手段２３により検出したデータをエレベータ制御装置１へ送信するものである。
【００１９】
携帯端末３は、表示手段３１、第１の通信手段３２、点検結果記憶手段３３、点検プログラム記憶手段３４、第１の外部通信手段３５から構成されている。第１の通信手段３２は、エレベータ制御装置１と点検プログラム、点検結果等のデータの通信を行うものである。点検結果記憶手段３３は、点検プログラムにより実行された結果を記憶するものである。点検プログラム記憶手段３４は、遠隔保守端末と同様の点検プログラムを実行するためのプログラムを格納するものである。第１の外部通信手段３５は、点検結果の解析をセンター側システム４で行う場合にセンター側システム４へ点検プログラムの実行結果を送信するためのものである。表示手段３１は、第１の通信手段３２を介してと第２の通信手段１２と接続し、エレベータ制御装置１の状態を表示する。
【００２０】
ここで、点検プログラムとは、エレベータを自動で運転させ異常を検知する運転モードを実行可能とするプログラムである。例えば、エレベータの利用者が上昇釦を押下して建物の１階から４階まで上昇する操作をする場合と、同様の信号を生成させたり、エレベータ内の照明装置のＯＮ／ＯＦＦ操作と同様の切替信号を生成させることができる。点検プログラムは、エレベータの種別や、エレベータの点検項目のメニューに応じて、複数用意されている。したがって、点検作業者は、センター側システム４から離れた所在地である点検先のエレベータに対応した作業指示の内容に最適な点検プログラムを携帯端末から選択して、ダウンロードすることができる。
【００２１】
センター側システム４は、第２の外部通信手段４１と、実行結果解析手段４２と、解析結果記憶手段４３と、点検プログラム記憶手段４４から構成されている。実行結果解析手段４２は、携帯端末３で点検プログラムにより得られたデータを解析するものである。実行結果記憶手段４３は、実行結果および解析結果を記憶するものである。点検プログラム記憶手段４４は、携帯端末３へ点検プログラムの配信を行うためセンター側システム４で点検プログラムを記憶するものである。第２の外部通信手段４１は、携帯端末３と点検プログラム、解析結果等の送受信を行うためのものである。携帯端末３が、第１の外部通信手段３５及び第２の外部通信手段４１を介してセンター側システム４と結ばれていることにより、当該エレベータが点検中なのか、あるいは不具合なのかの把握が遠隔監視することができる。
【００２２】
点検プログラムをセンター側システム４に登録する手段として、点検プログラム登録手段５が接続されている。点検プログラム登録手段５としては、例えばパソコンのような外部機器が好適である。点検プログラム登録手段５によって、新規な点検プログラムの登録だけでなく、点検プログラムのバージョンアップがあった場合にも容易に点検プログラムを書き換えることが可能となる。
携帯端末３としては、センター側システム４から遠隔の地であっても通信可能であることが必要であり、例えば、カメラ機能を備えた携帯電話が好適である。カメラ機能を利用することにより、次のような使用ができる。点検作業員は、カメラ付携帯電話で二次元コードを読み取り、読み取って得られたＵＲＬ（Uniform Resource Locator）情報から、該当のウェブにアクセスする。ウェブ上のメニューに設定されたログイン情報により、点検開始を知らせる。点検作業を実行し、点検結果や良否判定をカメラ付携帯電話に入力する。点検作業の終了の際には、再び該当ＵＲＬにアクセスし、センター側システム４に点検終了を了知させることができる。携帯端末３としては、無線通信機能を備えたパソコン等で構成することもできる。
【００２３】
次に、上記のように構成したエレベータ保守装置の動作について説明する。図２は、エレベータ保守装置の動作の流れを示すフローチャートである。図２では、センター側システム４から点検プログラムのダウンロードを行い、エレベータ制御装置１で点検プログラムを実行し、実行結果についてセンター側システム４で解析を行うまでのフローを示している。
【００２４】
まず、センター側システム４から携帯端末３へ点検プログラムを第１の外部通信手段３５および第２の外部通信手段４１を介してダウンロードを行い、携帯端末３に記憶する（ステップＳＴ１）。次いで、ダウンロードした点検プログラムを実行する（ステップＳＴ２）。
【００２５】
次いで、点検プログラムの実行結果をセンター側システム４で解析処理する（ステップＳＴ３）。
【００２６】
以下、これらの各処理について詳述する。図３は、点検プログラムのダウンロード及び記憶処理の流れを示すフローチャートである。まず、センター側システム４に備えられた第２の外部通信手段４１と携帯端末３に備えられた第１の外部通信手段３５を介して、点検プログラムのダウンロードを行うため電波の通信状態の確認を行う（ステップＳＴ１１）。電波状態が良好の場合は、携帯端末３からセンター側システム４に記憶されている点検プログラムを選択する（ステップＳＴ１２）。
【００２７】
続いて、第１の外部通信手段３５および第２の外部通信手段４１を介して、点検プログラムのダウンロードを実施する（ステップＳＴ１３、ステップＳＴ１４）。
【００２８】
点検プログラムのデータ受信方法は、携帯電話回線を使用したデータの送受信にて実施することが好適である。尚、携帯電話回線に限られず、アナログ公衆回線、ＡＤＳＬ回線、専用線、衛星通信、無線ＬＡＮ、ＰＨＳ、光ファイバ等のいずれも採用することができる。
【００２９】
ダウンロードを行った点検プログラムは、携帯端末３に備えられた点検プログラム記憶手段３４に記憶される（ステップＳＴ１５）。ここで、点検プログラム記憶手段３４および点検結果記憶手段３３はＳＤカードの様な携帯端末３に外部記憶装置として記憶可能なものを使用してもよい。点検プログラムの記憶状況は、利用者の利便のため表示手段に表示される（ステップＳＴ１６）。
【００３０】
次に、携帯端末３に記憶された点検プログラムをエレベータ制御装置１に対して実行する処理について説明する。図４は、点検プログラムの実行処理の流れを示すフローチャートである。
【００３１】
携帯端末３とエレベータ制御装置１の通信は、第１の通信手段３２および第２の通信手段１２を介して実施する。第１の通信手段３２と第２の通信手段１２との通信は、例えば、B1uetooth（登録商標）、無線ＬＡＮ、ＩｒＤＡ等の無線通信のうち少なくとも１つを使用することとする。そのため、第１の通信手段３２は、エレベータ制御装置１側に備え付けられた第２の通信手段１２の通信機器の通信状態を確認する（ステップＳＴ２１）。電波状態に問題が無く通信が確認されると、第１の通信手段３２間の接続を確保する（ステップＳＴ２２）。続いて、第２の通信手段１２間での接続を確保する（ステップＳＴ２３）。これらの接続が確保された後、携帯端末３の点検プログラム記憶手段３４から実行する点検プログラムを選択する（ステップＳＴ２４）。所望の点検プログラムが携帯端末３内に無い場合は、ステップＳＴ１２の処理に戻る。点検プログラムを選択し実行する際に、エレベータ制御装置１から自動診断運転開始動作の判断を行う（ステップＳＴ２５）。運転が開始されると、エレベータ制御装置１に備え付けられた第１の検出手段１１がエレベータの運行状態の検出を行う（ステップＳＴ２６）と共に、かご制御手段２に備え付けられた第２の検出手段２３もエレベータの運行状態の検出を行う（ステップＳＴ２７）。
運行状態の検出とは、例えば、かご制御装置２に備え付けられた第２の検出手段２３において、ドアの開閉トルクがある一定の閾値を超えている場合などは異常として検出する。点検プログラムが実行され、エレベータ制御装置１から運転終了の信号を携帯端末３が受けると、自動診断運転が終了する（ステップＳＴ２８）。運転終了は、携帯端末３に備え付けられた表示手段３１に表示される（ステップＳＴ２９）。点検プログラムの実行結果は、携帯端末３の点検結果記憶手段３３に記憶される（ステップＳＴ３０）。
【００３２】
次に、携帯端末３の点検結果記憶手段３３に記憶された点検結果をセンター側システム４にて解析を行う処理について説明する。図５は、解析処理の流れを示すフローチャートである。
【００３３】
点検結果は点検結果記憶手段３３に記憶されており（ステップＳＴ３１）、携帯端末３に備えられた表示手段３１で確認することができるが、センター側システム４に備えられた実行結果解析手段４２にて解析を実施することで結果の詳細を確認することが可能となる。センター側システム４における解析処理を行う場合には、実行結果を点検結果記憶手段３３からセンター側システム４に送信する処理が選択される（ステップＳＴ３２）。送信処理が選択されると、第１の外部通信手段３５および第２の外部通信手段４１を介して通信が行なわれる（ステップＳＴ３３、ステップＳＴ３４）。なお、本実施形態での 点検結果のデータ送信方法は、上記したように携帯電話回線を使用したデータの送信にて実施することとする。
【００３４】
センター側システム４に送信された点検結果は、実行結果解析手段４２にて解析される（ステップＳＴ３５）。実行結果解析手段４２にて実施する解析方法は、例えば前回点検時の点検データとの比較を行い、一定値を超えている箇所はアラート等を出す。
【００３５】
解析された結果は、解析結果記憶手段４３にて記憶される（ステップＳＴ３６）。解析結果記憶手段４３は、例えば、過去の不具合情報や他のエレベータにて発生した同一不具合情報等を記憶しておくことで、携帯端末３を使用するユーザー全てが情報を共有可能なものとすることができる。尚、実行結果解析手段４２と解析結果記憶手段４３にて過去の不具合情報から得られた実行結果に基づいて最適な点検プログラムを作成し、第１の外部通信手段３５と第２の外部通信手段４１を介して、携帯端末３に送信する機能を備えてもよい。
【００３６】
実行結果解析手段４２にて解析された結果は、再度、第１の外部通信手段３５および第２の外部通信手段４１を介して携帯端末３に送信される（ステップＳＴ３７、ステップＳＴ３８）。さらに、携帯端末３に備え付けられた表示手段３１で解析結果を確認することが可能となる（ステップＳＴ３９）。
【００３７】
本実施形態によれば、専用端末を用いた点検処理のように煩雑なコマンド入力（コマンド発行）を必要とせず、必要な作業指示に対応した点検項目がチェックできる点検プログラムをダウンロードするので、作業員による点検のバラツキが解消できる。また、センター側システムで、点検開始、点検中、点検終了といった一連の作業状況を遠隔監視の如くに把握できる。
【００３８】
なお、本発明は上記の実施形態のそのままに限定されるものではなく、実施段階ではその要旨を逸脱しない範囲で構成要素を変形して具体化できる。また、上記の実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００３９】
１…エレベータ制御装置、２…かご制御装置、３…携帯端末、４…センター側システム、５…点検プログラム登録手段、１１…第１の検出手段、１２…第２の通信手段、１３…運行制御手段、２１…かご制御手段、２２…第３の通信手段、２３…第２の検出手段、３１…表示手段、３２…第１の通信手段、３３…点検結果記憶手段、３４…点検プログラム記憶手段、３５…第１の外部通信手段、４１…第２の外部通信手段、４２…実行結果解析手段、４３…解析結果記憶手段、４４…点検プログラム記憶手段。
【図１】
2011088711.tif 000003
【図２】
2011088711.tif 000004
【図３】
2011088711.tif 000005
【図４】
2011088711.tif 000006
【図５】
2011088711.tif 000007